(57)【要約】【課題】ヘッドの寿命を長くした画像形成装置、画像形成方法、及びプログラムを提供する。【解決手段】像担持体を移動し順次前記画素に対して各列の１ラインの発光素子で多重露光を行うようにした画像形成装置であって、同一の画素を露光する各ラインの発光素子を同一光量で発光させる制御手段と、主走査方向のＤＯＴ毎に副走査方向のＤＯＴが発光した回数をカウントするカウント手段と、カウント手段のカウント値に応じて副走査方向の発光ＤＯＴを決定する発光ＤＯＴ決定手段と、を設けた。【選択図】図１
2014000730.tif 000002
【特許請求の範囲】
【請求項１】
発光素子が主走査方向に複数個配置されたラインを、像担持体の副走査方向に複数列設けたプリントヘッドで、前記像担持体上の画素に対して１ラインの発光素子で露光してから前記像担持体を移動させ、前記画素に対して次列の１ラインの発光素子で重ねて露光し、前記像担持体を移動し順次前記画素に対して各列の１ラインの発光素子で多重露光を行うようにした画像形成装置であって、
同一の画素を露光する各ラインの前記発光素子を同一光量で発光させる制御手段と、
主走査方向のＤＯＴ毎に副走査方向のＤＯＴが発光した回数をカウントするカウント手段と、
前記カウント手段のカウント値に応じて副走査方向の発光ＤＯＴを決定する発光ＤＯＴ決定手段と、を設けたことを特徴とする、画像形成装置。
【請求項２】
請求項１記載の画像形成装置において、
前記カウント手段のカウント値は副走査方向に設けた発光素子列の数より１少ない値までカウントし、次に前記カウント値に＋１を追加するとカウント値が０に戻ることを特徴とする、画像形成装置。
【請求項３】
請求項１記載の画像形成装置において、
前記カウント手段は副走査方向に設けた発光素子列が全て発光するデータの場合と、全て発光しないデータの場合とはカウントしないことを特徴とする、画像形成装置。
【請求項４】
請求項１記載の画像形成装置において、
前記カウント手段は前記発光ＤＯＴ決定手段が発光ＤＯＴを決定した後、入力データに応じてカウントアップされることを特徴とする、画像形成装置。
【請求項５】
請求項１記載の画像形成装置において、
前記発光ＤＯＴ決定手段は、前の印刷データの発光位置を決定した後、次の印刷データが入力されるまでに、前記カウント手段のカウント値に応じて次の印刷データの発光開始位置を決定することを特徴とする画像形成装置。
【請求項６】
請求項１記載の画像形成装置において、
前記カウント手段と発光ＤＯＴ決定手段は、プリントヘッドに設けられていることを特徴とする、画像形成装置。
【請求項７】
請求項１記載の画像形成装置において、
前記発光素子はＬＥＤであることを特徴とする、画像形成装置。
【請求項８】
請求項１記載の画像形成装置において、
前記発光素子は有機ＥＬであることを特徴とする、画像形成装置。
【請求項９】
発光素子が主走査方向に複数個配置されたラインを、像担持体の副走査方向に複数列設けたプリントヘッドで、前記像担持体上の画素に対して１ラインの発光素子で露光してから前記像担持体を移動させ、前記画素に対して次列の１ラインの発光素子で重ねて露光し、前記像担持体を移動し順次前記画素に対して各列の１ラインの発光素子で多重露光を行う画像形成方法であって、
同一の画素を露光する各ラインの前記発光素子を同一光量で発光させ、
主走査方向のＤＯＴ毎に副走査方向のＤＯＴが発光した回数をカウントし、
カウント手段のカウント値に応じて副走査方向の発光ＤＯＴを決定することを特徴とする、画像形成方法。
【請求項１０】
コンピュータに、
発光素子が主走査方向に複数個配置されたラインを、像担持体の副走査方向に複数列設けたプリントヘッドで、前記像担持体上の画素に対して１ラインの発光素子で露光してから前記像担持体を移動させる処理、
前記画素に対して次列の１ラインの発光素子で重ねて露光し、前記像担持体を移動し順次前記画素に対して各列の１ラインの発光素子で多重露光を行う処理を実行させる画像形成装置を制御するためのプログラムであって、
前記コンピュータに、
制御手段が、同一の画素を露光する各ラインの前記発光素子を同一光量で発光させる処理、
カウント手段が、主走査方向のＤＯＴ毎に副走査方向のＤＯＴが発光した回数をカウントする処理、
発光ＤＯＴ決定手段が、前記カウント手段のカウント値に応じて副走査方向の発光ＤＯＴを決定する処理、を実行させることを特徴とする、プログラム。
【発明の詳細な説明】
【技術分野】
【０００１】
本発明は、画像形成装置、画像形成方法、及びプログラムに関する。
【背景技術】
【０００２】
プリントヘッドに有機ＥＬ（Ｅｌｅｃｔｒｏ  Ｌｕｍｉｎｅｓｃｅｎｃｅ）のような発光パワーの小さい光源を使って多値書込みを行われている。この場合、発光パワーを補うため副走査方向に複数個のＤＯＴ（ディスプレイやプリンタで文字や画像を構成する最小単位となっている点）を並べ、１画素の露光回数を変えることで階調する方式がある。
【０００３】
また、階調出力が可能な多重露光方式の画像形成装置において、回路構成の簡素化と発光制御の高速化を図ること目的とする発明が提案されている（例えば、特許文献１参照。）。
【０００４】
特許文献１には、
（ａ）データ処理装置からの画像データが記憶手段に入力されシフトレジスタからの出力信号で発光素子（イエロー）ラインヘッドの１ラインの発光素子を動作させて像担持体上の画素を露光する点、
（ｂ）像担持体を矢視方向に移動させ、当該画素を１ラインの発光素子の位置に到達させるときのタイミングで、画像データをシフトレジスタに転送し、１ラインに画像データを出力して当該画素を再度露光する点、
（ｃ）像担持体を移動させながらシフトレジスタで順次画像データを転送して、同一画素を順次多重露光する点が開示されている。
【発明の概要】
【発明が解決しようとする課題】
【０００５】
しかし、通常の多重露光回数を変えることで階調する方式では、必ず先頭のＤＯＴから書込みを行うため、中間調を多用する画像を印刷すると発光するＤＯＴと発光しないＤＯＴとの差が大きくなる。また、ヘッドの寿命が発光の多いＤＯＴで決まってしまい、その結果寿命が短くなるという問題があった。
【０００６】
そこで、本発明の目的は、ヘッドの寿命を長くした画像形成装置、画像形成方法、及びプログラムを提供することにある。
【課題を解決するための手段】
【０００７】
上記課題を解決するため、請求項１記載の発明は、発光素子が主走査方向に複数個配置されたラインを、像担持体の副走査方向に複数列設けたプリントヘッドで、前記像担持体上の画素に対して１ラインの発光素子で露光してから前記像担持体を移動させ、前記画素に対して次列の１ラインの発光素子で重ねて露光し、前記像担持体を移動し順次前記画素に対して各列の１ラインの発光素子で多重露光を行うようにした画像形成装置であって、同一の画素を露光する各ラインの前記発光素子を同一光量で発光させる制御手段と、主走査方向のＤＯＴ毎に副走査方向のＤＯＴが発光した回数をカウントするカウント手段と、前記カウント手段のカウント値に応じて副走査方向の発光ＤＯＴを決定する発光ＤＯＴ決定手段と、を設けたことを特徴とする。
【発明の効果】
【０００８】
本発明によれば、ヘッドの寿命を長くすることができる。
【図面の簡単な説明】
【０００９】
【図１】実施形態に係るブロック図の一例である。
【図２】図１に示した画像形成装置の動作を説明するための説明図である。
【図３】通常の画像形成装置によるＤＯＴの概念図である。
【図４】図１に示した画像形成装置の動作を説明するためのフローチャートの一例である。
【図５】図１に示した読み取り装置プリンタヘッドを用いた画像形成装置の一例を示す概念図である。
【発明を実施するための形態】
【００１０】
本発明の実施の形態を説明する。
＜概  要＞
本発明は、副走査方向にＤＯＴを並べて階調する画像形成装置、画像形成装置、及びプログラムに関するものである。
画像形成装置は、主走査方向に書込み幅分書込み解像度の間隔で光源を並べ、それを副走査方向に複数配置した書込みヘッドで、階調表現を副走査方向に並べた複数の光源の発光する数を変えることで画像形成を行う。画像形成装置は、副走査に並べた光源の数までカウントできるカウンタを主走査方向に並べた光源の数と同じ数だけ持つことにより、副走査方向の光源が階調データによってどの光源まで発光したかを管理する。画像形成装置は、カウントした値に対応して次の画素の階調データを副走査方向の光源のどの位置から発光させるかを制御する。
【００１１】
本実施形態の画像形成装置によれば、副走査方向に並んだＤＯＴの発光回数を中間調の階調が連続した場合にも均一化することができる。
【００１２】
＜構  成＞
上記記載の本発明の特徴について、以下、図面を用いて詳細に解説する。
図１は、実施形態に係るブロック図の一例である。図１において、右側の四角はＤＯＴを示す。
画像形成装置は、Ｈｏｓｔ  Ｉ／Ｆ（ホストインターフェース）１０、記憶手段１１、カウント手段（ｎ個）１２、発光ＤＯＴ決定手段１３、発光制御手段１４、及びｎ個のＤＯＴ１（１５0A、１５0B、１５0C、…、１５0G）、ＤＯＴ２（１５1A、１５1B、１５1c、…、１５1G）、ＤＯＴ３（１５2A、１５3b、１５3c、…、１５3G）、…、ＤＯＴｎ（１５nA、１５nB、１５nC、…、１５nG）を有する。
これは、７多重露光の例であって、副走査に７個でなければいけないわけではない。
【００１３】
Ｈｏｓｔ  Ｉ／Ｆ（１０）は、データが入力されると、記憶手段１１及びカウント手段１２にデータを送る。
記憶手段１１は、例えばＲＡＭ（Ｒａｎｄｏｍ  Ａｃｃｅｓｓ  Ｍｅｍｏｒｙ）が用いられ、発光制御手段１４へデータを送る。
カウント手段１２は、主走査方向のＤＯＴ毎に副走査方向のＤＯＴが発光した回数をカウントする機能を有し、例えばカウンタが用いられ、カウンタ値を発光ＤＯＴ決定手段１３に送る。
発光素子としては、ＬＥＤもしくは有機ＥＬが用いられる。
発光ＤＯＴ決定手段１３は、カウント手段１２のカウント値に応じて副走査方向の発光ＤＯＴを決定する機能を有し、ハードウェアで実現される。
発光制御手段１４は、同一の画素を露光する各ラインの前記発光素子を同一光量で発光させる機能を有し、ハードウェアで実現される。
【００１４】
ここで、カウント手段１２のカウント値は副走査方向に設けた発光素子列の数より１少ない値までカウントし、次にカウント値に＋１を追加するとカウント値が０に戻るようになっていてもよい。また、カウント手段１２は副走査方向に設けた発光素子列が全て発光するデータの場合と、全て発光しないデータの場合とはカウントしないように構成してもよい。さらに、カウント手段１２は、入力データに応じてカウントアップされる。あるラインのデータが転送されてくる前に発光ＤＯＴ決定手段１３は、前のラインのデータによってカウントアップされた結果に基づいて、これから送られてくるラインのデータをＡからＧのいずれかから発光させるかを決定する。
【００１５】
カウント手段１２と発光ＤＯＴ決定手段１３は、プリントヘッドＰＨに設けられている。プリントヘッドＰＨは、前述したように発光素子が主走査方向に複数個配置されたラインを、像担持体の副走査方向に複数列設けたものである。
【００１６】
発光素子が主走査方向にｎ個配置されたラインを像担持体の副走査方向に複数列（図１では７列）設けて発光素子を２次元的に配列したプリントヘッドＰＨで、像担持体上の画素に対してＡのラインの発光素子で露光してから像担持体を移動させ、画素に対してＢのラインの発光素子で重ねて露光し、同様にして像担持体を移動しＧのラインの発光素子まで多重露光を行う画像形成装置であって、同一の画素を露光する各ラインの発光素子を同一光量で発光させ、副走査方向の発光する発光素子数で階調出力を行う。
【００１７】
＜動  作＞
本発明の動作を図２、図４、表１、２を用いて説明する。
図２は、図１に示した画像形成装置の動作を説明するための説明図である。図４は、図１に示した画像形成装置の動作を説明するためのフローチャートの一例である。表１は、図１に示した画像形成装置に入力されるデータと発光ＤＯＴの数との関係を示す表の一例である。表２は、図２に示した説明図を補足するためのカウント値と発光基準位置との関係を示す表の一例である。
【００１８】
ここで、図２のＡ〜Ｇと図１のＡ〜Ｇは対応している。図２は、主走査方向のあるＤＯＴ、例えば９番目のＤＯＴに「０１０」，「１００」，「１００」，「１１１」，「１０１」というデータが順に来たとすると、９の列のＡ〜Ｇは、それぞれのデータで黒色四角のＤＯＴが点灯することを表している。
図２の矢印右側に形成画像が記載されているが、画素の濃度は、Ａ〜Ｇまで全て点灯すると最大濃度になる（データ「１１１」、濃度７／７）。データ「０１０」の場合２／７の濃度、データ「１００」の場合４／７の濃度、データ「１０１」の場合５／７の濃度になる。９の列が５行分露光した結果が右の濃度の異なる四角が５個並んだ図になる。
【００１９】
【表１】
2014000730.tif 000003
【００２０】
【表２】
2014000730.tif 000004
【００２１】
発光数カウント値に応じて次のラインの発光ＤＯＴ基準位置を決定する（ステップ１）。
印刷するためにＨｏｓｔ  Ｉ／Ｆ（１０）を通して、多値データとしての主走査方向のＤＯＴ０の３ｂｉｔデータ「０１０」が入力されると、データは記憶手段１１に記憶される（ステップＳ２）。
記憶手段にデータ保存発光数カウンタを入力データに応じてカウントアップする（ステップＳ３）。
１ライン分データ入力が完了する（ステップＳ４）。
発光制御手段で入力データを発光データに変換（多値データから発光するＤＯＴ数を決定し、発光ＤＯＴ決定手段で決定した発光基準位置からそのＤＯＴ数だけ発光するフォーマットに変換）する（ステップＳ５）。
図には示されない像担持体が移動するタイミングにあわせてＡ列からＧ列までの発光素子が像担持体の同じ位置を露光するように発光制御手段１４によって同一光量で発光する。（ステップＳ６）
発光数カウンタ値に応じて次のラインの発光ＤＯＴ基準位置を決定する（ステップＳ７）。
【００２２】
Ｇ列まで発光すると次のラインのデータがＨｏｓｔ  Ｉ／Ｆ（１０）を通して入力される（ステップＳ８）。ＤＯＴ０の３ｂｉｔデータ「１００」が入力されると、データは記憶手段１１に記憶される。ＤＯＴ０の発光数カウンタの値が２であるため、発光ＤＯＴ決定手段１３により副走査の発光ＤＯＴはＣ，Ｄ，Ｅ，Ｆの４個と決定され、記憶手段１１の中で入力データがその他のＤＯＴ１からＤＯＴｎまでのデータと一緒にＡ列からＧ列までの発光データに変換される。像担持体が移動するタイミングにあわせてＡ列からＧ列までの発光素子が像担持体の同じ位置を露光するように発光制御手段１４によって同一光量で発光する。発光ＤＯＴ決定手段１３が発光ＤＯＴを決定してから次のラインのデータが入ってくる前までにＤＯＴ０からＤＯＴｎまでの発光数カウンタの値に入力データに応じたカウントＵＰを行う。ＤＯＴ０は「１００」なので、「＋４」追加されてカウンタ値は６になる。
【００２３】
説明の例では副走査方向に発光素子列を７列設けているため発光数カウンタは、「６」までカウントアップし、次に「＋１」追加されると「０」に戻る。また副走査方向の全てのＤＯＴが点灯するデータ（例では、「１１１」）が入力されるとカウントアップしない。
【００２４】
図３は、通常の画像形成装置によるＤＯＴの概念図である。
通常の画像形成装置では、図３に示すように中間調データの印刷が続くとＡ列やＢ列の発光素子の発光回数が多くなり、発光回数の多い発光素子が寿命になると発光回数の少ないＧ列の発光素子はまだ十分使えてもプリントヘッドＰＨとしての寿命が尽きてしまう。
これに対して、本実施形態の画像形成装置では、Ａ列からＧ列の発光素子の発光回数が同じになるため通常の画像形成装置に対して相対的にプリントヘッドＰＨの寿命を延ばすことができる。
【００２５】
すなわち、本実施形態によれば、副走査方向に並んだＤＯＴの発光回数を中間調の階調が連続した場合にも均一化することができるので、プリントヘッドＰＨの寿命を延ばすことができる。つまり、本実施形態によれば、副走査にＤＯＴの発光回数を均等にすることでプリンタヘッドの寿命を長くした画像形成装置、画像形成方法、及びプログラムを提供することができる。
【００２６】
＜画像形成装置＞
図５は、図１に示した読み取り装置プリンタヘッドを用いた画像形成装置の一例を示す概念図である。
図５に示す画像形成装置としてのプリンタ１００は、回転可能に支持されて矢印方向に回転する複数（図ではａ〜ｄの４個が記載されているが限定されない。）の像坦持体としての感光体２０１の外周部には、除電装置Ｌと、クリーニング装置２０２と、帯電装置２０３と、現像装置２０５とがそれぞれ配設されている。
【００２７】
各感光体２０１の外周部における帯電装置２０３と現像装置２０５との間には、光情報を入射させる露光装置２０４ａ〜２０４ｄが配置されている。
図５に示す構成では感光体２０１が４個（２０１ａ、２０１ｂ、２０１ｃ、２０１ｄ）あるが、現像装置２０５が扱う色材（トナー）の色が異なるのみであり、それぞれの外周部に設けられる画像形成用の上述した部品構成は同じである。
【００２８】
感光体２０１は、直径が３０ｍｍ〜１００ｍｍ程度のアルミニウム円筒表面に、光導電性物質である有機半導体の層を設けて構成され、その一部が中間転写ベルト（第１の顕像担持手段）２１０に接している。
【００２９】
中間転写ベルト２１０は、回転するローラ２１１、２１２、２１３、２１４により支持され、図５の矢印方向に移動可能に張架されている。この中間転写ベルト２１０の裏側（ループの内側）には、第１の転写手段としてのローラ２１２が感光体２０１の近傍に配備され、感光体２０１上の顕像を中間転写ベルト２１０に転写させる。
【００３０】
中間転写ベルト２１０のベルトループの外側における、中間転写ベルト２１０から顕像を記録媒体または裏面用の中間転写ベルト（第２の顕像担持手段）２００に転写する位置の下流に、中間転写ベルト用のクリーニング装置２２５が配設されている。このクリーニング装置２２５のブラシは、中間転写ベルト２１０から顕像が他に転写された後でベルト表面に残留する不要なトナーを拭い去る。
【００３１】
図５に示すようにクリーニング装置２５０のはブラシローラが裏面用中間転写ベルト２００の表面から離れた状態にある。このブラシローラは支点２５０Ａを中心として揺動可能に設けられ、裏面用中間転写ベルト２００表面に接離可能な構造になっている。
中間転写ベルト２１０から転写されたトナー像を記録媒体Ｐに転写する以前、すなわち裏面用中間転写ベルト１００がトナー像を担持しているときは離れた状態とし、記録媒体Ｐへの転写が行われてクリーニングが必要となったとき、ブラシローラは図５での反時計方向に揺動し接触される。
除去された不要トナーはトナー収納部２５０Ｂに集められる。
【００３２】
露光装置２０４ａ〜２０４ｂは、図１に示したプリントヘッドであり、フルカラー画像形成に対応した光情報を、一様に帯電された感光体２０１表面に潜像として照射する。
【００３３】
このように、上述した感光体２０１と、クリーニング装置２０２と、帯電装置２０３と、露光装置２０４ａ〜２０４ｄと、現像装置２０５と、除電装置Ｌと、第１の転写手段２１２とが、中間転写ベルト２１０に転写する顕像（トナーによる像）を生成する作像手段として機能する。
【００３４】
中間転写ベルト２１０は、基体の厚みが例えば５０μｍ〜６００μｍの樹脂フィルムあるいはゴムを基体にしたベルトであり、感光体２１１からトナーを転写可能とする抵抗値を備える。
この中間転写ベルト２１０に対して図５の右方には、ベルト状の裏面用中間転写ベルト（第２の顕像担持手段）２００が配設されている。この裏面用中間転写ベルト２００は、回転ローラ２１６、２１７、２１８、２１９により支持され、図５の矢印方向に移動可能に張架されており、裏側（ループの内側）には、第２の転写手段２１８が配設されている。裏面用中間転写ベルト２００によるベルトループの外側に、この裏面用中間転写ベルト用クリーニング装置２５０、チャージャＣＨ、などが配設されている。
【００３５】
上述した第２の転写手段２１９と、ローラ２１８、２１９と、中間転写ベルト２１０を支持するローラ２１４とにより、中間転写ベルト２１０と裏面用中間転写ベルト２００とが接触し、あらかじめ定められた転写ニップを形成する。
【００３６】
裏面用中間転写ベルト２００は、基体の厚みが例えば５０μｍ〜６００μｍの樹脂フィルムあるいはゴムを基体にしたベルトで、中間転写ベルト２１０からトナーを転写可能とする抵抗値を備えるベルトである。
【００３７】
記録媒体（用紙）Ｐは図の下方の給紙装置（給紙カセット）２２６−１、２２６−２に収納されており、最上にある用紙が給紙ローラ２２７で１枚ずつ、複数のガイド２２９を経てレジストローラ対２２８に搬送される。
記録媒体Ｐが搬送されるさらに下流には、定着用加熱手段２３０、排紙ガイド対２３１、排紙ローラ対２３２、排紙スタック部２４０が配設されている。
【００３８】
図５における中間転写ベルト２１０の上方で排紙スタック部２４０の下方には、補給用のトナーが収納できる収納部ＴＳが設けてある。トナーの色はマゼンタ、シアン、イエロー、ブラックの四色があり、カートリッジＴＣの形態にされている。このカートリッジＴＣからは、粉体ポンプ等により対応する色の現像装置に適宜補給される。
【００３９】
このような装置本体の一部であるフレーム２５１は、開閉支軸２５１Ａを中心として、回動・開放が可能な構造にされている。このため、ユーザはこのフレーム２５１を開いた状態とすることにより記録媒体の搬送路を大きく開くことができ、ジャムが発生した場合の記録媒体（用紙）の処理を容易にしている。
【００４０】
また、上述した記録媒体Ｐへの画像形成を行う装置本体の上部に読み取り装置が支持部２６６を介して連設され、この画像読み取り装置により読み取られた画像データを上述した装置本体が記録媒体Ｐに印刷することで、コピー動作を可能にするよう構成されている。
【００４１】
＜プログラム＞
以上で説明した本発明に係る画像形成装置は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明を実現する場合の説明を以下で行う。
【００４２】
例えば、
コンピュータに、
発光素子が主走査方向に複数個配置されたラインを、像担持体の副走査方向に複数列設けて発光素子を２次元的に配列したプリントヘッドで、前記像担持体上の画素に対して１ラインの発光素子で露光してから前記像担持体を移動させる処理、
前記画素に対して次列の１ラインの発光素子で重ねて露光し、前記像担持体を移動し順次前記画素に対して各列の１ラインの発光素子で多重露光を行う処理を実行させる画像形成装置を制御するためのプログラムであって、
前記コンピュータに、
制御手段が、同一の画素を露光する各ラインの前記発光素子を同一光量で発光させる処理、
カウント手段が、主走査方向のＤＯＴ毎に副走査方向のＤＯＴが発光した回数をカウントする処理、
発光ＤＯＴ決定手段が、前記カウント手段のカウント値に応じて副走査方向の発光ＤＯＴを決定する処理、を実行させるプログラムが挙げられる。
【００４３】
これにより、プログラムが実行可能なコンピュータ環境さえあれば、どこにおいても本発明に係る画像形成装置を実現することができる。
【００４４】
＜記憶媒体＞
このようなプログラムは、コンピュータに読み取り可能な記憶媒体に記憶されていてもよい。
ここで、記憶媒体としては、例えば、ＣＤ−ＲＯＭ（Ｃｏｍｐａｃｔ  Ｄｉｓｃ  Ｒｅａｄ  Ｏｎｌｙ  Ｍｅｍｏｒｙ）、フレキシブルディスク（ＦＤ）、ＣＤ−Ｒ（ＣＤ  Ｒｅｃｏｒｄａｂｌｅなどのコンピュータで読み取り可能な記憶媒体、フラッシュメモリ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＦｅＲＡＭ（強誘電体メモリ）等の半導体メモリやＨＤＤ（Ｈａｒｄ  Ｄｉｓｃ  Ｄｒｉｖｅ）が挙げられる。
【００４５】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００４６】
１０    Ｈｏｓｔ  Ｉ／Ｆ
１１    記憶手段
１２    カウント手段
１３    発光ＤＯＴ決定手段
１４    発光制御手段
１５1A、１５1B、１５1c、…、１５nG  ＤＯＴ
１００    プリンタ
２００    中間転写ベルト（第２の顕像担持手段）
２０１    感光体（像坦持体）
２０２、２５０    クリーニング装置
２０３    帯電装置
２０４ａ、２０４ｂ、２０４ｃ、２０４ｄ、ＰＨ    プリントヘッド
２０５    現像装置
２１０    中間転写ベルト（第１の顕像担持手段）
２１１、２１２、２１３、２１４、２１５    ローラ
２１６、２１７、２１９    回転ローラ
２１８    回転ローラ（第２の転写手段）
２２５    クリーニング装置
２２６−１、２２６−２    給紙装置（給紙カセット）
２２７    給紙ローラ
２２８    レジストローラ対
２２９    ガイド
２３０    定着用加熱手段
２３１    排紙ガイド対
２３２    排紙ローラ対２３２
２４０    排紙スタック部
２５０Ａ    支点
２５０Ｂ    トナー収納部
２５１    フレーム
２６６    支持部
【先行技術文献】
【特許文献】
【００４７】
【特許文献１】特開２００４−０５０８１６号公報
【図１】
2014000730.tif 000005
【図２】
2014000730.tif 000006
【図３】
2014000730.tif 000007
【図４】
2014000730.tif 000008
【図５】
2014000730.tif 000009